(57)【要約】【課題】  限定されるスペース内で指掛りの範囲を十分に大きくすることができる押しボタン構造の創出を課題として、もって操作性の良好な櫛付きエアゾール容器を提供することを目的とする。【解決手段】  頭部の上面に、開閉機能付きの注出ノズルを起立させたエアゾール容器体と、下端部を段付き孔で注出ノズルに密外嵌し注出路を形成する注出筒に、この注出筒を押し下げるための押しボタンを配設した押下げ部を有と、容器体の頭部に組み付き固定し、櫛体を備え、内部にこの櫛体上へ内容液を吐出するための吐出路を形成してなる吐出部を有し、注出筒の上端部と吐出部を上下方向への摺動可能に組み付けて、注出路と吐出路を密に連通した櫛付きエアゾール容器において、押しボタンを、ボタン本体の上端部からヒンジを介して、ボタン本体の上端部に横倒し可能に、押し板片を起立設した形状とする。【選択図】図１
2005206211.tif 000002
【特許請求の範囲】
【請求項１】
頭部(2)の上面に、開閉機能付きの注出ノズル(3)を起立させたエアゾール容器体(1)と、下端部を段付き孔(13c)で前記注出ノズル(3)に密外嵌し注出路(F1)を形成する注出筒(13)に、該注出筒(13)を押し下げるための押しボタン(22)を配設した押下げ部(11)と、前記容器体(1)の頭部(2)に組み付き固定し、櫛体(43)を備え、内部に該櫛体(43)上へ内容液を吐出するための吐出路(F2)を形成してなる吐出部(31)を有し、前記注出筒(13)の上端部と吐出部(31)を上下方向への摺動可能に組み付けて、前記注出路(F1)と吐出路(F2)を密に連通した容器において、前記押しボタン(22)を、ボタン本体(23)の上端部からヒンジ(25)を介して、ボタン本体(23)の上端部に横倒し可能に、押し板片(24)を起立設した形状としたことを特徴とする櫛付きエアゾール容器。
【請求項２】
吐出部(31)を、容器体(1)の頭部(2)に組み付き固定する有頂筒状の基筒片(33)の頂壁(34)の開口部(35)開口縁から上下方向に吐出路(F2)を形成する吐出筒(42)を配設し、該吐出筒(42)の上部に櫛歯片(44)上への内容液の吐出可能に櫛体(43)を形成した形状とし、注出筒(13)の上端部と前記吐出筒(42)の下端部を、上下方向への相対移動可能に密に連結し、押しボタン(23)の上端部を前記頂壁(34)開口部(35)に隣接して開口した窓孔(36)から突出させて配置することを特徴とする請求項１記載の櫛付きエアゾール容器。
【請求項３】
吐出筒(42)の位置する方向とは反対側に、押し板片(24)の横倒し方向を設定した請求項２記載の櫛付きエアゾール容器。
【請求項４】
押しボタン(22)を、ボタン本体(23)の平断面形状を扁平状の筒状体とし、該筒状体の扁平側の筒壁を吐出筒(42)に対向位置させ、また該扁平側の筒壁の上端部にヒンジ(25)を介して押し板片(24)を起立設する構成とした請求項１、２または３記載の櫛付きエアゾール容器。
【発明の詳細な説明】
【技術分野】
【０００１】
本発明は、櫛付きエアゾール容器に関する。
【背景技術】
【０００２】
たとえば特許文献１、２、３あるいは特許文献４等には櫛付きエアゾール容器に係る発明が示されている。図５に従来例として特許文献１に記載のある櫛付きエアゾール容器を示すが、これら特許文献に示される容器はいずれも、各構成部材の構造、あるいは押下げ機構の詳細は異なるものの、エアゾール容器体１の頭部２の上方に配設された押しボタン２２を押し下げることにより吐出部３１に摺動部１７で上下方向への摺動可能に連結した押下げ部１１と共に注出ノズル３を押し下げて内容液を噴出させて、この噴出した内容液を注出路Ｆ１および吐出路Ｆ２を経て櫛体４３上に吐出させるものである。
【特許文献１】特開平８−４０４７２号公報
【特許文献２】特開平９−１４２５５３号公報
【特許文献３】特開平５−３３７００８号公報
【特許文献４】特開平８−５３１７３号公報
【発明の開示】
【発明が解決しようとする課題】
【０００３】
上記櫛付きエアゾール容器の使用の際には、エアゾール容器体（以下単に容器体と記す。）の注出ノズルを押し下げるが、上記のように摺動部もあり、一般的にはかなり押圧力を加える必要がある。しかしながらたとえば髪染め等の用途では多くの場合小型の容器体が使用されること、また櫛体を容器体の上方に付設することにより、押しボタンを配設できる領域が限定され、指掛りの範囲を十分に大きくすることができない。その結果として指が痛くなる、吐出量をうまく調整できない等、操作性が必ずしも良くないという問題がある。特に女性で爪の長い人にとっては実質的な指掛りの範囲が小さくなるのでさらに押し辛いものとなる。
【０００４】
本発明は上述のごとき課題を解決しようとするものであって、限定されるスペース内で指掛りの範囲を十分に大きくすることができる押しボタン構造の創出を課題として、もって操作性の良好な櫛付きエアゾール容器を提供することを目的とする。
【課題を解決するための手段】
【０００５】
上記技術的課題を解決する請求項１記載の発明の手段は、
頭部の上面に、開閉機能付きの注出ノズルを起立させたエアゾール容器体を有し、
下端部を段付き孔で注出ノズルに密外嵌し注出路を形成する注出筒に、この注出筒を押し下げるための押しボタンを配設した押下げ部を有し、
容器体の頭部に組み付き固定し、櫛体を備え、内部にこの櫛体上へ内容液を吐出するための吐出路を形成してなる吐出部を有し、
注出筒の上端部と吐出部を上下方向への摺動可能に組み付けて、注出路と吐出路を密に連通した櫛付きエアゾール容器において、
押しボタンを、ボタン本体の上端部からヒンジを介して、ボタン本体の上端部に横倒し可能に、押し板片を起立設した形状とすること、
にある。
【０００６】
請求項１記載の上記構成の櫛付きエアゾール容器は、容器体、押下げ部および吐出部を有し、容器体を手の平で掴持しながら、指先で押しボタンを押し下げることにより、押しボタンと共に押下げ部の注出筒が段付き孔を介して注出ノズルが下降して内容液が噴出する。この際、注出筒と吐出部は液密状の組み付け状態を保持しながら上下方向に相対的に摺動する。
【０００７】
噴出した内容液は、押下げ部の注出筒内に形成された注出路および吐出部内に形成された吐出路を流れて櫛体上に吐出され、この状態で髪を梳くことにより、内容液を容易に髪の毛に塗布することができる。
【０００８】
ここで、押しボタンをボタン本体の上端部からヒンジを介してこのボタン本体の上端部に横倒し可能に押し板片を起立設した形状とすることにより、使用時にはこの押し板片をボタン本体の上端部に横倒しすることにより、押し板片を高く起立設しておけば、横倒した状態での指掛りの範囲を確保できると共に、横倒し状態で押し板片をボタン本体の上端面からオーバーハングさせることができ、この押し板片の先端部を力点、押し板片との接触箇所を作用点とした梃子状の作用効果も発揮させて、押しボタンを容易に押し下げることが可能となる。
【０００９】
また、この押し板片はボタン本体の上端部からヒンジを介して起立設して射出成形による一体成形可能としたものであり、別部材として成形し、たとえば使用時等に組み付ける等の必要がない。
【００１０】
さらに、上記起立設した状態で、押し板片が容器体から横方向に出っ張ることもないので、包装あるいは陳列の際に押しボタンが邪魔になることがない。
【００１１】
請求項２記載の発明の手段は請求項１記載の発明において、
吐出部を、容器体の頭部に組み付き固定する有頂筒状の基筒片の頂壁の開口部開口縁から上下方向に吐出筒を配設し、この吐出筒の上部に櫛歯片上への内容液の吐出可能に櫛体を形成した形状とすること、
注出筒(13)の上端部と前記吐出筒(42)の下端部を、上下方向への相対移動可能にに密に連結すること、
押しボタンの上端部を頂壁開口部に隣接して開口した窓孔から突出させて配置すること、
にある。
【００１２】
請求項２記載の上記構成は特には吐出部の構成の具体例を示すものであり、吐出部は容器体の頭部に組み付き固定する有頂筒状の基筒片を有し、この基筒片の頂壁の開口部開口縁から上下方向に吐出筒を配設し、この吐出筒の上部に櫛歯片上への内容液の吐出可能に櫛体を形成した形状をしている。
【００１３】
頂壁開口部に隣接して開口した窓孔から上端部を突出配置させた押しボタンを押し下げることにより、押しボタンと共に押下げ部の注出筒が段付き孔を介して注出ノズルが下降して内容液が噴出する。そしてこの内容液は注出筒および吐出部の吐出筒でそれぞれ形成され、連通した注出路と吐出路を上昇し、吐出筒の上部に形成された櫛体に達し、櫛歯片上に吐出され、この状態で髪を梳くことにより、内容液を容易に髪の毛に塗布することができる。
【００１４】
また、容器の組み立ての際には押し板片はボタン本体の上端部からヒンジを介して起立設した状態で、基筒片の頂壁に開口した窓孔から押しボタンの上端部を容易に突出させることができる。
【００１５】
請求項３記載の発明の手段は請求項２記載の発明において吐出筒の位置する方向とは反対側に押し板片の横倒し方向を設定すること、にある。
【００１６】
請求項３記載の上記構成により、押し板片を、基筒片の頂壁の開口部開口縁から上下方向に配設された吐出筒の位置する方向とは反対側に横倒しするので、横倒した状態で吐出筒との干渉がなく押し板片の起立高さを十分高くすることができ、指掛りの範囲をより容易に確保することができる。
【００１７】
請求項４記載の発明の手段は、請求項１、２または３記載の発明において、押しボタンを、ボタン本体の平断面形状を扁平状の筒状体とし、この筒状体の扁平側の筒壁を吐出筒に対向位置させ、またこの扁平側の筒壁の上端部にヒンジを介して押し板片を起立設する構成とすること、にある。
【００１８】
請求項４記載の上記構成により、ボタン本体の平断面形状をたとえば長方形状、楕円状、長円状等の扁平状の筒状体とすることにより、吐出部の頂壁に、その周方向に略沿って扁平状の窓孔を開口すれば良いので、押しボタンの配設に係る占有領域を限定することができ、吐出部の特には吐出筒の径、配設位置に係る設計の自由度を高くすることができる。また扁平側の筒壁上端部から押し板片を起立設するので、この押し板片の幅も十分広くすることができ、横倒した状態での指掛りの範囲をさらに十分に確保することができる。
【発明の効果】
【００１９】
本発明は上記した構成であり、以下に示す効果を奏する。
請求項１記載の発明にあっては、押し板片を高く起立設しておけば、横倒した状態での指掛りの範囲を十分確保できると共に、この押し板片のボタン本体の上端面からオーバーハング状態を利用して梃子状の作用効果も発揮させることができ、押しボタンを容易に押し下げることが可能となる。
【００２０】
また、押し板片はボタン本体の上端部からヒンジを介して起立設して射出成形による一体成形可能としたものであり、別部材として成形し、たとえば使用時等に組み付ける等の必要がない。また起立設した状態で、押し板片が容器本体から横方向に出っ張ることもないので、包装あるいは陳列の際に押しボタンが邪魔になることがない。
【００２１】
請求項２記載の発明にあっては、頂壁開口部に隣接して開口した窓孔から上端部を突出配置させた押しボタンを押し下げることにより、内容液を吐出筒の上部に形成された櫛体の櫛歯片上に吐出させて、この状態で髪を梳くことにより、内容液を容易に髪の毛に塗布することができる。
【００２２】
請求項３記載の発明にあっては、押し板片を吐出筒が配設位置する方向とは反対側に横倒しするので、横倒した状態で吐出筒との干渉がなく押し板片の起立高さを十分高くすることができ、指掛りの範囲をより容易に確保することができる。
【００２３】
請求項４記載の発明にあっては、周方向に略沿って細長い扁平状の窓孔を開口すれば良いので、吐出部の特には吐出筒の径、配設位置に係る設計の自由度を高くすることができると共に、押し板片の幅も十分広くすることができ、横倒し状態での指掛りの範囲をさらに十分に確保することができる。
【発明を実施するための最良の形態】
【００２４】
以下本発明の実施の形態を図面を参照して説明する。
図１〜図３は本発明の櫛付きエアゾール容器の一実施例を示すものである。図１は全体斜視図である。（なお図１では櫛体４３における個々の櫛歯片４４は省略している。）図２の縦断面図から分かるように、本実施例の容器は主として頭部２の中央部に開閉機能付きの注出ノズル３を起立設した容器体１と、注出ノズル３を押し下げる機能を発揮する押下げ部１１と、容器体１の頭部２に組付き固定して上部に櫛体を形成する吐出部３１から構成される。
【００２５】
なお本実施例では、吐出部３１を容器体１の頭部２に嵌着する嵌着体４を介して容器体１の頭部２に組付き固定する構成としている。また、押下げ部１１を押下げ体１２と操作体２１の２つの部材から、吐出部３１を、基体３２と吐出体４１の２つ部材からそれぞれ構成している。
【００２６】
従来、容器体１としては細長有底円筒状をした金属製本体の縮径した口部に、弁による開閉機能部を備えた注出ノズル３を有するキャップをカシメ固定して頭部２を形成したものが多く使用されてきたが、近年に至り本体として２軸延伸ブロー成形のＰＥＴボトル等が使用されるようになってきている。
【００２７】
嵌着体４は容器体１の頭部にアンダーカット状に組付き固定する組付き筒片５を有すると共に、後述する吐出部３１の基筒片３３が螺合組付きする螺合筒片６を有する。
【００２８】
押下げ部１１は注出ノズル３を押し下げる押下げ体１２と、押しボタン２２を配設した操作体２１から構成される。このうち押下げ体１２は有底短円筒状の外筒片１５を有し、この外筒片１５の底壁の中央部から僅かに前方にずらした位置に開口部が形成されており（図２、図３参照）、この開口部の開口縁から上および下の方向に注出路Ｆ１を形成する注出筒１３が配設されている。下部注出筒１３ｂの下端部には軸心が注出ノズル３の軸心と一致するようにしてこの注出ノズル３に外嵌する段付き孔１３ｃが形成されている。
【００２９】
また上部注出筒１３ａの先端部を先端に向けて薄肉状にすると共にラッパ状に拡径して、後述する吐出部３１の嵌合筒３７に嵌入して液密状でかつ上下方向への摺動可能な形状としている。またこの上部注出筒１３ａの外側には同軸心状に中筒片１３を起立設しており、またこの中筒片１３の外側に一対の作用突片１６が突設されている（図３参照）。
【００３０】
操作体２１は、円筒状の固定筒片２６の中に、この固定筒片２６前部上端部近傍に位置する支点ヒンジ２８を介して短円筒状の押付け筒片２７を配設し、さらにこの押付け筒片２７の後部上端部から平断面形状が略長方形状の筒状体であるボタン本体２３を起立設したものである。
【００３１】
このボタン本体２３は、筒状体の長辺側の筒壁を後述する吐出筒４２に対向位置するように配設され、この長辺側の筒壁の上端部からはヒンジ２５を介して押し板片２４が起立設されている。これらボタン本体２３、押し板片２４およびヒンジ２５から押しボタン２２が構成されている。なお横倒した状態で押し板片２４はボタン本体２３の上端面から大きく容器外側方向にオーバーハングした状態となる（図１参照）。
【００３２】
上記押しボタン２２も含めて操作体２１は複雑な構造をしているが、押し板片２４をボタン本体２３の上端部からヒンジ２５を介して起立設して射出成形による一体成形可能としたものであり、押し板片２４を別部材として成形して使用時等に組み付けする必要がない。
【００３３】
なお、図３は組み立てた状態での押下げ体１２と操作体２１の位置関係を平面図で示す説明図であるが、押下げ体１２との区別ができるように操作体２１を二点鎖線で示している。図２および図３から判るように操作体２１の押付け筒片２６の下端面が作用突片１６の頂部先端に当接した状態になっている。
【００３４】
吐出部３１は、嵌着部４に組み付き固定する基体３２と上部に櫛体４３を形成した吐出体４１の２つ部材から構成される。基体３２は前記した嵌着部４の螺合筒片６に螺合組み付きする有頂の基筒片３３を有する。この基筒片３３はテーパー上に上方に向けて縮径し、頂部に開口部３５を形成した頂壁３４を有し、この開口部３５の開口縁から下方に嵌合筒３７を垂下設している。
【００３５】
また、頂壁３４の後部にはボタン本体２３の略長方形状の平断面形状に合せて窓孔３６を形成している。
【００３６】
吐出体４１は吐出路Ｆ２の一部を形成する吐出筒４２を有し、この吐出筒４２の上端部に多数の櫛歯片４４整列させた櫛体４１を形成している。本実施例では櫛歯片４４内に注出細路４６および吐出細路４７を形成した構造としている。なお本実施例の櫛体４１は整列配置した櫛歯片４４を別部材として吐出筒４２に組み付けるようにしたものである。
【００３７】
次にこれら部材を組み立てた状態での使用態様の一例にについて説明する。なお組み立てに際して、押し板片２４を起立した状態にしておけば、押しボタン２２の上端部を窓孔３６から容易に突出させることができる。
【００３８】
組み立てた状態で、注出筒１３の上端部と吐出体４１の吐出筒４２の下端部は、基体３２の嵌合筒３７を介して上下方向への相対移動可能に密に連結し、また注出筒１３の上端部を嵌合筒３７の下端部に摺動可能に密嵌入した状態であり、これらにより注出筒１３の上端部と吐出部３１が上下方向への摺動可能に組み付けられ、注出路Ｆ１と吐出路Ｆ２との液密状態での連通が達成される。
【００３９】
押しボタン２２の押し板片２４を横倒した状態で（図１参照）、指先で押し板片２４を押し下げると、操作体２１において押し板片２４を力点、支点ヒンジ２８を支点、そして押付け筒片２７の下端面と押下げ体１２の底壁に突設した作用突片１６の当接部分を作用点とする梃子状の機構により（図２、３参照）、作用突片１６を介して、押下げ体１２全体が下降して、さらに段付き孔１３ｃを介して注出ノズル３が下降して内容液が注出筒１３内に噴出される。この際基体３２の嵌合筒３７に嵌入した上部注出筒１３ａは液密状態で摺動しながら嵌合筒３７内を下降する。
【００４０】
ここで、押し板片２４の幅は長方形の長辺に相当して十分広くすることができると共に、起立高さを十分に高くしておけば横倒した状態での指掛りの範囲を十分確保でき、押しボタンを容易に押し下げることができる。比較のために図４に図１の容器において押し板片２４のない容器の一例を示す。
【００４１】
そして注出筒１３内に噴出した内容液は、注出路Ｆ１および吐出筒４２内の吐出路Ｆ２を流動して吐出口４５、注出細路４６および吐出細路４７を経て櫛歯片４４の間に吐出される。
【００４２】
指先による押し板片２４に対する押圧を解除すれば、注出ノズル３の反撥力により、押下げ体１２および操作体２１が上昇して元の位置に戻る。
【００４３】
なお本実施例では、押しボタン２２を配設する領域を確保するため上記のように注出筒１３を底壁の軸心から若干ずらして、すなわち偏心させて配置する例を示したが、本発明の容器ではボタン本体２３を押下げ操作性を損なうことなく小型あるいは扁平にすることができるので、この偏心量をさらに小さくする、あるいは偏心をなくすことも可能であり、吐出筒４２あるいは櫛体４３の配置位置、形状等に係る設計の自由度を高くすることができる。
【００４４】
また、本実施例における押下げ部１１、吐出部３１に係る詳細構造は単なる一例として示したものであり、本発明による特にヒンジを介してボタン本体に連接され、横倒し可能な押し板片の作用効果は、本実施例の容器に限定されることなく、容器体、押しボタンを配設した押下げ部、櫛体を形成した吐出部から構成される櫛付きエアゾール容器において一般的に発揮されるものである。
【００４５】
たとえば図５は櫛付きエアゾール容器の従来例を示したものであり、容器体１、嵌着体４、押下げ部１１、吐出部３１から構成されるものであるが、この例においても押しボタン２２に押し板片２４を付設することに上記実施例と同様な作用効果が発揮される。
【００４６】
また、櫛体についても、本実施例の構成は単なる一例にすぎず、櫛体の形状は本実施例に限定されるものでなく、たとえば櫛歯片が上方に起立設された櫛体等も使用することができる。
【産業上の利用可能性】
【００４７】
以上説明したように本発明の容器は横倒し可能な押し板片により、櫛体の配設位置に係る設計の自由度、成形性、包装あるいは陳列性等を大きく損なうことなく押しボタンの指掛りの範囲を十分確保することができ、操作性の良好な容器を提供することができ、櫛付きエアゾール容器としてさらに幅広い使用が期待される。
【図面の簡単な説明】
【００４８】
【図１】本発明の櫛付きエアゾール容器の一実施例を示す斜視図である。
【図２】図１の容器のエアゾール容器体以外の部分を縦断して示す側面図である。
【図３】図１の容器の押下げ体と操作体の関係を平面で示す説明図である。
【図４】比較として、図１の容器において押し板片のない容器の例を示す斜視図である。
【図５】従来の櫛付きエアゾール容器の一例を一部縦断して示す側面図である。
【符号の説明】
【００４９】
１  ；容器体
２  ；頭部
３  ；注出ノズル
４  ；嵌着部
５  ；組付き筒片
６  ；螺合筒片
１１；押下げ部
１２；押下げ体
１３；注出筒
１３ａ；上部注出筒
１３ｂ；下部注出筒
１３ｃ；段付き孔
１４；中筒片
１５；外筒片
１６；作用突片
１７；摺動部
２１；操作体
２２；押しボタン
２３；ボタン本体
２４；押し板片
２５；ヒンジ
２６；固定筒片
２７；押付け筒片
２８；支点ヒンジ
３１；吐出部
３２；基体
３３；基筒片
３４；頂壁
３５；開口部
３６；窓孔
３７；嵌合筒
４１；吐出体
４２；吐出筒
４３；櫛体
４４；櫛歯片
４５；吐出孔
４６；注出細路
４７；吐出細路
Ｆ１；注出路
Ｆ２；吐出路
【図１】
2005206211.tif 000003
【図２】
2005206211.tif 000004
【図３】
2005206211.tif 000005
【図４】
2005206211.tif 000006
【図５】
2005206211.tif 000007